(57)【要約】      （修正有）【課題】医療現場の血や唾液や痰や膿等の粘性の異物が詰まり難く、細菌類の感染の心配の少ない、フィルターエレメントを提供する。【解決手段】医療現場で発生した異物を真空引きしその中の比較的大きな異物を除去した後の流体から更に異物を除去する目的で配設した医療用フィルターである。フィルターエレメント５１に早期に粘性の異物が付着し機能が低下するのを防止する目的で、フィルターエレメント５１の上流である内側に大きな異物しか捕捉出来ない異物分離手段５６、５６Ａを設け、流体流路ｚがフィルターを構成しているボディ５２から異物分離手段５６、５６Ａの内側とフィルターエレメント５１の外側と内側に各々保持している。【選択図】図２
2006081869.tif 000002
【特許請求の範囲】
【請求項１】
医療現場で発生した異物を真空引きしその中の比較的大きな異物を除去した後の流体から更に異物を除去する目的で配設したフィルターエレメント（５１）を内蔵した医療用フィルター（５０Ａ、５０Ｂ、５０Ｃ、５０Ｄ）がある中で、前記フィルターエレメント（５１）に早期に粘性の異物が付着し機能が低下するのを防止する目的で、前記フィルターエレメント（５１）の上流である内側に前記フィルターエレメント（５１）の異物捕捉能力に較べて大きな異物しか捕捉出来ない異物分離手段（５６、５６Ａ）を設け、流体流路（ｚ）が前記フィルター（５０Ａ、５０Ｂ、５０Ｃ、５０Ｄ）を構成しているボディ（５２）から前記異物分離手段（５６、５６Ａ）の内側と前記フィルターエレメント（５１）の外側に形成され、前記異物分離手段（５６、５６Ａ）と前記フィルターエレメント（５１）で捕捉した各々の異物は前記異物分離手段（５６、５６Ａ）と前記フィルターエレメント（５１）の内側に各々保持していることを特徴とする医療用フィルター。
【請求項２】
前記異物分離手段（５６、５６Ａ）に早期に粘性の異物が付着し機能が低下するのを防止する目的で、前記異物分離手段（５６、５６Ａ）の上流である内側に粘性の異物が付着し易い異物付着手段（５７）を配設したことを特徴とする請求項１に記載の医療用フィルター。
【請求項３】
医療現場で発生した異物を真空引きしその中の比較的大きな異物を除去した後の流体から更に異物を除去する目的で配設したフィルターエレメント（５１）を内蔵した医療用フィルター（５０Ｅ）がある中で、前記フィルターエレメント（５１）に早期に粘性の異物が付着し機能が低下するのを防止する目的で、前記フィルターエレメント（５１）の上流である内側に粘性の異物が付着し易い異物付着手段（５７）を設け、流体流路（ｚ）が前記フィルター（５０Ｅ）を構成しているボディ（５２）から前記フィルターエレメント（５１）の内側と前記フィルターエレメント（５１）の外側に形成され、前記フィルターエレメント（５１）で捕捉された異物は前記フィルターエレメント（５１）の内側に保持されていることを特徴とする医療用フィルター。
【請求項４】
前記異物分離手段（５６、５６Ａ）は金網（５６）または布袋（５６Ａ）であり、前記異物付着手段（５７）は布（５７）であることを特徴とする請求項１ないし請求項３の何れか１項に記載の医療用フィルター。
【請求項５】
前記布（５７）は、硬い材料のものであることを特徴とする請求項４に記載の医療用フィルター。
【請求項６】
前記フィルターエレメント（５１）は前記ボディ（５２）とケース（５３）の間に位置するものであり、前記ボディ（５２）の下部で前記フィルターエレメント（５１）を上部鍔（５１ｂ）の内側に位置させたＯリング（５４）によって装着し、その後に前記ボディ（５２）に前記ケース（５３）を螺合によって締結すると同時に前記フィルターエレメント（５１）を確実に固定する構成になっているものであることを特徴とする請求項１ないし請求項５の何れか１項に記載の医療用フィルター。
【請求項７】
前記ボディ（５２）に形成された前記流体流路（ｚ）に消毒液を流すことが可能なように消毒液容器（４１）を設けたことを特徴とする請求項１ないし請求項６の何れか１項に記載の医療用フィルター。
【請求項８】
前記フィルターエレメント（５１）の交換に際して真空引きの影響を防ぐ目的で、前記フィルター（５０Ａ、５０Ｂ、５０Ｃ、５０Ｄ、５０Ｅ）の前後に開閉弁（４８、４９）を設けたことを特徴とする請求項１ないし請求項７の何れか１項に記載の医療用フィルター。
【請求項９】
防水袋を用意し、その防水袋でケース（５３）を配水管（５８）も含めて覆い、ボディ（５２）と前記ケース（５３）の螺合による締結を防水袋ごと前記ケース（５３）を回転させることによって離脱させ、前記フィルターエレメント（５１）を取出すものであることを特徴とするフィルター廃却方法。
【請求項１０】
別の防水袋を用意し、前記ケース（５３）と前記フィルターエレメント（５１）が同時に離脱した場合には、前記ケース（５３）を逆さに転倒させることで別の防水袋に前記フィルターエレメント（５１）を収納し、前記ケース（５３）だけが離脱した場合には、別の防水袋で前記フィルターエレメント（５１）を覆い、前記ボディ（５２）と前記フィルターエレメント（５１）の間の前記Ｏリング（５４）による装着を別の防水袋ごと前記フィルターエレメント（５１）を引き下げることによって離脱させ収納し、別の防水袋ごと前記フィルターエレメント（５１）を廃却することを特徴とする請求項９に記載のフィルター廃却方法。
【発明の詳細な説明】
【技術分野】
【０００１】  本発明は、医療用フィルターおよびフィルター廃却方法に関する技術であって、更に詳細に述べると、粘性の異物が多い不衛生で寿命の短い医療現場で使用するフィルターに関し、特に粘性の異物に対処した具体的な構成と方策を示した医療用フィルターおよびフィルター廃却方法について述べたものである。
【背景技術】
【０００２】  従来、一般に使用しているフィルターとして、分離する異物の種類や大きさ等によって、３μｍ以上の大きさの異物を捕捉出来るような性能を持ったプレフィルタや０．３μｍ以上の大きさの異物や油を捕捉出来るような性能を持った油分除去フィルタや０．０１μｍ以上の大きさの異物や油を捕捉出来るような性能を持った高性能油分除去フィルタを、状況に合わせて時には二種類や三種類を複合して使用し、その応用としてドレントラップの作動を考慮してまた気液を分離する、圧縮空気からの異物分離方法および異物分離装置に関するものがある（例えば、特許文献１参照。）。【０００３】  以下、従来の圧縮空気からの異物分離方法および異物分離装置について説明する。【０００４】  この場合、エアーコンプレッサ１１からの圧縮空気吐出配管１０１、１０２、１０３、１０４、１１１、１１２の途中にプレフィルタ２２Ａ、または前記プレフィルタ２２Ａおよび油分除去フィルタ２４または／および高性能油分除去フィルタ２５のいずれかを配設した圧縮空気からの異物分離装置において、オートドレントラップ２１ｂを備えフィルターエレメント２２ａを内蔵した前記プレフィルタ２２Ａを前記エアーコンプレッサ１１に一番近い所に配設し、圧縮空気が前記フィルターエレメント２２ａの内側から外側に流れるように圧縮空気流路ｚを形成し、圧縮空気内の３μｍ以上の大きさの異物を前記フィルターエレメント２２ａによって捕捉し前記フィルターエレメント２２ａの内部に残留させ、前記異物ｘ以外の圧縮空気や水滴となったドレンｙだけが前記フィルターエレメント２２ａの外側に送り込まれることで前記オートドレントラップ２１ｂに到達しないように前記フィルターエレメント２２ａを構成し、前記フィルターエレメント２２ａの内側に、前記フィルターエレメント２２ａとは別に、圧縮空気の気液を分離する気液分離手段３０、３２を配設した内容のものであった。
【特許文献１】    特許番号第３３２６７４１号
【発明の開示】
【発明が解決しようとする課題】
【０００５】  しかしながら、このような従来の、圧縮空気からの異物分離方法および異物分離装置に関しては、以下に示すような課題があった。【０００６】  先ず、従来は分離する異物の種類や大きさ等によって状況に合わせて時には二種類や三種類のフィルターを複合して使用していたが、医療現場の血や唾液や痰や膿等の粘性の異物に対してはフィルターエレメントで詰まり易いという特異な状況が有った。【０００７】  また、医療用フィルターということは、患者からの異物に触れる可能性が有り、細菌類の感染に対する心配がある中で、十分に配慮されていなかった。【０００８】  特に、フィルターエレメントの交換に際しては、最も細菌類の感染に対する心配があったが、十分に配慮されていなかった。
【課題を解決するための手段】
【０００９】  本発明は、医療現場で発生した異物を真空引きしその中の比較的大きな異物を除去した後の流体から更に異物を除去する目的で配設したフィルターエレメント５１を内蔵した医療用フィルター５０Ａ、５０Ｂ、５０Ｃ、５０Ｄがある中で、前記フィルターエレメント５１に早期に粘性の異物が付着し機能が低下するのを防止する目的で、前記フィルターエレメント５１の上流である内側に前記フィルターエレメント５１の異物捕捉能力に較べて大きな異物しか捕捉出来ない異物分離手段５６、５６Ａを設け、流体流路ｚが前記フィルター５０Ａ、５０Ｂ、５０Ｃ、５０Ｄを構成しているボディ５２から前記異物分離手段５６、５６Ａの内側と前記フィルターエレメント５１の外側に形成され、前記異物分離手段５６、５６Ａと前記フィルターエレメント５１で捕捉した各々の異物は前記異物分離手段５６、５６Ａと前記フィルターエレメント５１の内側に各々保持していることを特徴とし、更には、前記異物分離手段５６、５６Ａに早期に粘性の異物が付着し機能が低下するのを防止する目的で、前記異物分離手段５６、５６Ａの上流である内側に粘性の異物が付着し易い異物付着手段５７を配設したことを特徴とし、更には、医療現場で発生した異物を真空引きしその中の比較的大きな異物を除去した後の流体から更に異物を除去する目的で配設したフィルターエレメント５１を内蔵した医療用フィルター５０Ｅがある中で、前記フィルターエレメント５１に早期に粘性の異物が付着し機能が低下するのを防止する目的で、前記フィルターエレメント５１の上流である内側に粘性の異物が付着し易い異物付着手段５７を設け、流体流路ｚが前記フィルター５０Ｅを構成しているボディ５２から前記フィルターエレメント５１の内側と前記フィルターエレメント５１の外側に形成され、前記フィルターエレメント５１で捕捉された異物は前記フィルターエレメント５１の内側に保持されていることを特徴とし、更には、前記異物分離手段５６、５６Ａは金網５６または布袋５６Ａであり、前記異物付着手段５７は布５７であることを特徴とし、更には、前記布５７は、硬い材料のものであることを特徴とし、更には、前記フィルターエレメント５１は前記ボディ５２とケース５３の間に位置するものであり、前記ボディ５２の下部で前記フィルターエレメント５１を上部鍔５１ｂの内側に位置させたＯリング５４によって装着し、その後に前記ボディ５２に前記ケース５３を螺合によって締結すると同時に前記フィルターエレメント５１を確実に固定する構成になっているものであることを特徴とし、更には、前記ボディ５２に形成された前記流体流路ｚに消毒液を流すことが可能なように消毒液容器４１を設けたことを特徴とし、更には、前記フィルターエレメント５１の交換に際して真空引きの影響を防ぐ目的で、前記フィルター５０Ａ、５０Ｂ、５０Ｃ、５０Ｄ、５０Ｅの前後に開閉弁４８、４９を設けたことを特徴とすることによって、上記課題を解決したのである。【００１０】  また本発明は、防水袋を用意し、その防水袋でケース５３を配水管５８も含めて覆い、ボディ５２と前記ケース５３の螺合による締結を防水袋ごと前記ケース５３を回転させることによって離脱させ、前記フィルターエレメント��１を取出すものであることを特徴とし、更には、別の防水袋を用意し、前記ケース５３と前記フィルターエレメント５１が同時に離脱した場合には、前記ケース５３を逆さに転倒させることで別の防水袋に前記フィルターエレメント５１を収納し、前記ケース５３だけが離脱した場合には、別の防水袋で前記フィルターエレメント５１を覆い、前記ボディ５２と前記フィルターエレメント５１の間の前記Ｏリング５４による装着を別の防水袋ごと前記フィルターエレメント５１を引き下げることによって離脱させ収納し、別の防水袋ごと前記フィルターエレメント５１を廃却することを特徴とすることによって、上記課題を解決したのである。
【発明の効果】
【００１１】  以上の説明から明らかなように、本発明によって、以下に示すような効果をあげることが出来る。【００１２】  第一に、フィルターエレメントに加えて、異物分離手段を、更には異物付着手段を設けることによって、特に異物分離手段としてフィルターエレメントの異物捕捉能力に較べて大きな異物しか捕捉出来ない金網や布袋をフィルターエレメントの上流に位置させ、異物付着手段として布をその中でも硬い材料のものをフィルターエレメントや異物分離手段の上流である内側に収納することで、粘性の異物によって早期にフィルターエレメントの機能が低下するのを防止出来るようになった。【００１３】  第二に、フィルターエレメントはボディとケースの間に位置するものであり、ボディの下部でフィルターエレメントを上部鍔の内側に位置させたＯリングによって装着し、その後にボディにケースを螺合によって締結すると同時にフィルターエレメントを確実に固定する構成により、分解即ちフィルターエレメント交換に容易な構成となっている。【００１４】  第三に、消毒液を流すことが可能なように消毒液容器を設けることで、細菌に配慮したフィルターとなった。【００１５】  第四に、フィルターの前後に開閉弁を設けることで、装置全体を停止させなくてもフィルターエレメントの交換が可能となった。【００１６】  第五に、本発明によるフィルターの構成と、フィルターエレメント交換に際しての防水袋の使用によって、異物に触れる事無くフィルターエレメントの交換が可能となった。
【発明を実施するための最良の形態】
【００１７】  以下、本発明の医療用フィルターおよびフィルター廃却方法の実施の形態を図面と共に詳細に説明する。
ここで、図１は、本発明の全体図であり、図２は、本発明の医療用フィルターの第一例であり、図３は、本発明の医療用フィルターの第二例であり、図４は、本発明の医療用フィルターの第三例であり、図５は、本発明の医療用フィルターの第四例であり、図６は、本発明の医療用フィルターの第五例である。【００１８】  一般に、歯科医や外科医や内科医等の医療現場に於いて、図１に見られる様な装置によって医療現場で発生した異物を回収して処理している。  即ち、真空ポンプ７０に吸引配管１０１、１０２、１０３、１０４、１０５、１０６を接続し真空引きをしている中で、吸引配管１０１の端末に吸引器具２０を接続し、レバー２０ａの吸引操作によって吸引口２０ｂより、例えば歯科医の医療現場では、歯を削った物や血や唾液や痰や膿等の粘性の有る異物を吸引していた。【００１９】  この場合、吸引された異物は、汚物槽３０に集められる。  ここで、汚物槽３０は隔壁３０ａを形成して、重かったり大きな異物は、隔壁３０ａに衝突することで汚物３０ｘとして底部に貯溜されていく。  尚、吸引器具２０の接続している吸引配管１０１に関しては一組に限定する必要は無く、複数組を汚物槽３０に接続しても構わない。【００２０】  当然のことながら、ビールスや細菌類や微小の異物は汚物槽３０を通過し下流に流れて行く。  その為に、ビールスや細菌類や微小の異物を捕捉する目的で、汚物槽３０に、吸引配管１０２と開閉弁４８と吸引配管１０３といずれかのフィルター５０Ａ、５０Ｂ、５０Ｃ、５０Ｄ、５０Ｅと吸引配管１０４と開閉弁４９と吸引配管１０５を接続しているのである。【００２１】  更に、吸引配管１０５に続いて真空タンク６０を接続し、吸引配管１０６から真空ポンプ７０と接続している。【００２２】  ここで、開閉弁４８，４９の目的は、真空ポンプ７０を含めたこの様な装置が作動している中で装置全体を停止させないでフィルターエレメント５１の交換が可能な様に設けたものである。  この場合、図１に見られる様に、一組の吸引器具２０と前後の開閉弁４８、４９を含めた一組のいずれかのフィルター５０Ａ、５０Ｂ、５０Ｃ、５０Ｄ、５０Ｅだけでは、その効果は明確に感じられないと思うが、複数組の吸引器具２０と前後の開閉弁４８、４９を含めた複数組のいずれかのフィルター５０Ａ、５０Ｂ、５０Ｃ、５０Ｄ、５０Ｅという設定の場合を考えた場合には、装置全体を停止すると言う事は非常に問題が大きいということである。【００２３】  また、真空タンク６０の目的は、真空引きをしている中で、複数組の吸引器具２０が一斉に使用された場合、真空ポンプ７０の能力によって能力不足になる可能性が有るが、それを防止する為に設けたものである。【００２４】  以下に、フィルター５０Ａ、５０Ｂ、５０Ｃ、５０Ｄ、５０Ｅに関し各種の実施例の具体的な内容を記載する。【００２５】（第一実施例）
図２に於いて、５０Ａはフィルターであり、フィルターエレメント５１とボディ５２とケース５３とパッキン５５と異物分離手段５６としての金網５６と配水管５８と開閉弁５９と消毒液容器４１と消毒液配管４２と開閉弁４３から構成されている。【００２６】  尚、フィルターエレメント５１は、エレメント本体５１ａと上部鍔５１ｂと下部鍔５１ｃとＯリング５４によって構成されている。  この場合、上部鍔５１ｂは、ドーナツの形状をして中央部を流体が通過出来るようになっていて、Ｏリング５４は、上部鍔５１ｂの内側に形成され、下部鍔５１ｃは、円盤状の形をしている。  従って、フィルターエレメント５１の下部は、閉じた状態になっている。  この様に、フィルターエレメント５１を構成することによって、フィルターエレメント５１で捕捉された異物は、フィルターエレメント５１の内部に滞留するようになっている。【００２７】  そして、このフィルターエレメント５１は、フィルター５０Ａを構成しているボデイ５２とケース５３に間に配設されていて、ボデイ５２の雌ネジ５２ｋとケース５３の雄ネジ５３ｙを螺合によって結合することで、ボデイ５２の段部５２ｉとケース５３の三ないし数個所の座５３ｚの間に位置するようになっている。  この場合、ボデイ５２とケース５３の間にはパッキン５５を配設して流体の漏洩を防止しているが、位置としては、ケース５３の上端部側に配設しても構わない。  また、ボデイ５２とケース５３の間のパッキン５５は、Ｏリングや他のものでも構わない。【００２８】  ここで、フィルターエレメント５１を構成している上部鍔５１ｂの内側に配設したＯリング５４が、フィルター５０Ａを構成しているボデイ５２の上部鍔接触面５２ｊに接触することによって、フィルターエレメント５１の上部で、フィルターエレメント５１内部と外部の間を流体が漏洩するのを防止している。【００２９】  また、フィルターエレメント５１を構成している下部鍔５１ｃは、フィルター５０Ａを構成しているケース５３の内側に形成された３ないし数個所の座５３ｚに載置された状態となっている。【００３０】  更に、ボデイ５２は、流体流路ｚの一部である入口５２ｘと流路５２ｚと出口５２ｙを形成している。  また、フィルターエレメント５１を構成している下部鍔５１ｃが、フィルター５０Ａを構成しているケース５３の内側に形成された座５３ｚに載置されることによって、フィルター５０Ａを構成しているケース５３をフィルターエレメント５１の外側と内側と下部の三つの部屋に分型している。【００３１】  一方、このフィルターエレメント５１の上流である内側には、異物分離手段５６としての金網５６が収納されていて、金網５６は金網本体５６ａと上部フランジ５６ｂと下フランジ５６ｃによって構成されている。  この場合、上部フランジ５６ｂは、ドーナツの形状をして中央部を流体が通過出来るようになっていて、下部フランジ５６ｃは、円盤状の形をしている。  従って、金網５６の下部は、閉じた状態になっている。  尚、下部フランジ５６ｃは、金網本体５６ａと同じ材料ということも考えられる。  この様に、金網５６を構成することによって、金網５６で捕捉された異物は、金網５６の内部に滞留するようになっている。【００３���】  特に、異物分離手段５６としての金網５６に関して述べると、医療現場で使用するフィルターの場合、血や唾液や痰や膿等の粘性の有る異物が流れてきて早い時点でフィルターエレメント５１を詰まらせるが、それを防止する目的でフィルターエレメント５１の上流である内側に異物分離手段５６としての目の粗い金網５６を配設したもので、この目の粗い金網５６による粘性の有る異物を阻止はするが詰まらせるまでには至らないという働きによって、従来の課題に対応したものである。  また、異物分離手段５６としての目の粗い金網５６は、フィルターエレメント５１の異物捕捉能力に較べて大きな異物しか捕捉出来ない、能力的には一ランク下回る性能のものを配備していることに特徴を持っているのである。【００３３】  そして、ボデイ５２の入口５２ｘと、ボデイ５２の流路５２ｚと、金網５６の内側と、金網本体５６ａと、金網５６の外側と、フィルターエレメント５１の内側と、エレメント本体５１ａと、フィルターエレメント５１の外側と、ボデイ５２の出口５２ｙとで流体流路ｚを形成している。【００３４】  更に、ボディ５２の上部には消毒液配管４２が接続してあって、消毒液配管４２の端部には消毒用の消毒液を貯溜する目的の消毒液容器４１が、消毒液配管４２の途中には手動で流路を開閉する開閉弁４３が配設してある。  尚、消毒液配管４２に関しては、螺合による場合も考えられる。【００３５】  また、ケース５３下部に形成している水排出口５３ｘには、配水管５８がケース５３と螺合によって結合し、配水管５８の途中には手動で流路を開閉する開閉弁５９が配設してあって、必要に応じて水を排出するようになっている。【００３６】  本発明による、医療用フィルターおよびフィルター廃却方法は前述したように構成されており、以下に、その動作について説明する。【００３７】  先ず、装置全体が接続した状態で準備され、フィルター５０Ａ前後の開閉弁４８、４９が開放され、フィルター５０Ａを構成している開閉弁４３、５９が閉鎖している中で、真空ポンプ７０を作動させると、排気３０１を出しながら真空タンク６０を真空状態にさせていく。【００３８】  その様な状態で、吸引器具２０のレバー２０ａを吸引の状態に操作すると、吸引器具２０の吸引口２０ｂより医療現場での異物を吸引する。【００３９】  この場合、吸引された異物は真空引きによって、吸引配管１０１を経由して汚物槽３０に送り込まれる。  ここで、吸引された異物の大半は、隔壁３０ａに衝突して汚物槽３０の底部に汚物３０ｘとして貯溜される。【００４０】  一方、汚物槽３０で捕捉されなかったビールスや細菌類や微小の異物は、真空引きされた流体に混ざって、吸引配管１０２と開閉弁４８と吸引配管１０３を通って、フィルター５０Ａを構成しているボディ５２の入口５２ｘと流路５２ｚを経由して異物分離手段５６である金網５６の内側に到達する。  ここで、粘性の異物は金網本体５６ａによって捕捉され、他の異物ｘも含め金網５６の内側に残留させられる。  この事によって、特に粘性の異物と一部の異物ｘだけが確実に捕捉除去されて、フィルターエレメント５１の内側に送り込まれる。【００４１】  また、フィルターエレメント５１の内側に送り込まれた流体は、���部の異物ｘをフィルターエレメント５１の内側に残留させながら、エレメント本体５１ａを通り特にビールスや細菌類が取り除かれてフィルターエレメント５１の外側からボディ５２の出口５２ｙを通り、吸引配管１０４と開閉弁４９と吸引配管１０５と真空タンク６０と吸引配管１０６と真空ポンプ７０を経由して排気３０１として排出される。【００４２】  尚、金網５６の内側から金網本体５６ａとエレメント本体５１ａを経由してフィルターエレメント５１の外側に流体が流れる過程で発生した水滴ｙは、フィルターエレメント５１の外側からケース５３の下部に滴下するようになっている。【００４３】  ところで、一定の期間経過した場合また特にフィルターエレメント５１の性能か低下した場合には、異物分離手段５６である金網５６を含めてフィルターエレメント５１の交換が必要となる。【００４４】  その際には、汚物槽３０と真空タンク６０の間に、吸引配管１０２と開閉弁４８と吸引配管１０３とフィルター５０Ａと吸引配管１０４と開閉弁４９と吸引配管１０５のフィルターを含めた配管系列が並列で複数組配設しているという前提の下に、交換しようとするフィルターエレメント５１を構成しているフィルター５０Ａの前後の開閉弁４８、４９を閉鎖の状態にする。【００４５】  その中で先ず、開閉弁４３を開いて消毒液容器４１の中の消毒液を滴下し、フィルター５０Ａの内部を消毒する。【００４６】  そこで、防水袋と成り得るビニール袋またはポリエチレン袋を用意し、その防水袋でケース５３を配水管５８も含めて覆い、ボディ５２とケース５３の螺合による締結を防水袋ごとケース５３を回転させることによって離脱させる。【００４７】  一方、別の防水袋を用意し、ケース５３とフィルターエレメント５１が同時に離脱した場合には、ケース５３を逆さに転倒させることで別の防水袋にフィルターエレメント５１を収納し、ケース５３だけが離脱した場合には、別の防水袋でフィルターエレメント５１を覆い、ボディ５２とフィルターエレメント５１の間のＯリング５４による装着を別の防水袋ごとフィルターエレメント５１を引き下げることによって離脱させ収納し、別の防水袋ごとフィルターエレメント５１を廃却する。【００４８】  当然のことながら、フィルターエレメント５１の内側には、異物分離手段５６としての金網５６が収納されているので、異物分離手段５６としての金網５６もフィルターエレメント５１と同時に廃却されることになる。【００４９】  この様に、防水袋を使用してフィルターエレメント５１を交換することによって、医療フィルターとして使用したフィルターエレメント５１でも患者の異物に触れる可能性を確実に防ぎ、ビールスや細菌類に感染する可能性を排除して、安全な交換が可能になったのである。【００５０】（第二実施例）
図３に於いて、５０Ｂはフィルターであり、フィルターエレメント５１とボディ５２とケース５３とパッキン５５と異物分離手段５６としての金網５６と異物付着手段５７としての小片の布５７と配水管５８と開閉弁５９と消毒液容器４１と消毒液配管４２と開閉弁４３から構成されている。【００５１】  この場合、第二実施例が第一実施例と異なる点は、異物分離手段５６としての金網５６の上流である内側に異物付着手段５７としての粘性の異物が付着し易い小片の布５７を収納している点である。【００５２】  ここで、異物付着手段５７としての小片の布５７を収納している理由は、第一実施例で血や唾液や痰や膿等の粘性の有る異物を取り除く目的でフィルターエレメント５１の内側に異物分離手段５６としての金網５６を収納しているが、更にその効果を高める為に小片の布５７を収納したものである。【００５３】  尚、小片の布５７に関しては、１〜３０平方ｃｍの大きさのポリプロピレンやポリスチレンの繊維が考えられるが、硬い材料のものを使用すると更に効果的である。  その理由は、真空引きをしている状況の下で、布５７の大きさが大きい程、金網５６の内側に付着しにくいということと、硬い材料を使用すればその効果が更に顕著であることによるものである。  従って、布５７は大きいという意味を含めて、細長い形状にすることも非常に有効である。【００５４】  また、収納の密度としては、空間部の３〜８０％を占めるように、それなりの空間が確保されることが非常に望ましい。  その理由は、収納の密度が８０％を越すと目詰まりを起こし易く、収納の密度が３％以下であると金網５６の内側に小片の布５７が付着し易いことによるものであるが、当然粘性の有る異物の状況によって異なってくる。  更に、細長い形状にしたり硬い材料を使用するほど、収納の密度が小さくても構わないという状況でもある。【００５５】  ところで、前述以外の内容に関しては、第一実施例と同じ内容の記載となるので省略する。【００５６】  本発明による、医療用フィルターおよびフィルター廃却方法は前述したように構成されており、その動作については、第一実施例と概ね同じ内容となるので省略する。【００５７】（第三実施例）
図４に於いて、５０Ｃはフィルターであり、フィルターエレメント５１とボディ５２とケース５３とパッキン５５と異物分離手段５６Ａとしての布袋５６Ａと配水管５８と開閉弁５９と消毒液容器４１と消毒液配管４２と開閉弁４３から構成されている。【００５８】  この場合、第三実施例が第一実施例と異なる点は、異物分離手段５６としての金網５６の代わりに異物分離手段５６Ａとしての布袋５６Ａを構成している点で金網５６の代わりに布袋５６Ａを使用したものである。  尚、布袋５６Ａの材料としては、目の粗いポリプロピレンやポリスチレンの繊維が考えられるが、硬い材料のものを使用するのが望ましいとも言える。【００５９】  もう少し具体的には、異物分離手段５６Ａとしての布袋５６Ａがフィルターエレメント５１の異物捕捉能力に較べて大きな異物しか捕捉出来ないような目の粗い布製である必要がある。  また、布袋５６Ａは、布袋本体５６ｍとバネ金具５６ｎより構成されていて、布袋本体５６ｍの入口に装着したバネ金具５６ｎを、ボディ５２の流路５２ｚの内側に差し込むことで拡大しながら押し付ける方向で固定するような構成となっている。【００６０】  ところで、前述以外の内容に関しては、第一実施例と同じ内容の記載となるので省略する。【００６１】  本発明による、医療用フィルターおよびフィルター廃却方法は前述したように構成されており、その動作については、第一実施例と概ね同じ内容となるので省略する。【００６２】（第四実施例）
図５に於いて、５０Ｄはフィルターであり、フィルターエレメント５１とボディ５２とケース５３とパッキン５５と異物分離手段５６Ａとしての布袋５６Ａと異物付着手段５７としての小片の布５７と配水管５８と開閉弁５９と消毒液容器４１と消毒液配管４２と開閉弁４３から構成されている。【００６３】  この場合、第四実施例が第三実施例と異なる点は、異物分離手段５６Ａしての布袋５６Ａの内側に異物付着手段５７としての小片の布５７を収納している点である。【００６４】  ここで、異物付着手段５７としての小片の布５７を収納している理由は、第三実施例で血や唾液や痰や膿等の粘性の有る異物を取り除く目的でフィルターエレメント５１の内側に異物分離手段５６Ａしての布袋５６Ａを収納しているが、更にその効果を高める為に小片の布５７を収納したものである。【００６５】  尚、小片の布５７に関しては、硬い材料のものを使用すると更に効果的である。  その理由は、硬い材料を使用すれば、真空引きをしている状況の下で金網５６の内側に小片の布５７が付着しにくいということによるものである。  但し、布５７に関しては、第二実施例と同じ内容の記載になるので省略する。【００６６】  ところで、前述以外の内容に関しては、第一実施例や第二実施例や第三実施例と同じ内容の記載となるので省略する。【００６７】  本発明による、医療用フィルターおよびフィルター廃却方法は前述したように構成されており、その動作については、第一実施例や第二実施例や第三実施例と概ね同じ内容となるので省略する。【００６８】（第五実施例）
図６に於いて、５０Ｅはフィルターであり、フィルターエレメント５１とボディ５２とケース５３とパッキン５５と異物付着手段５７としての小片の布５７と配水管５８と開閉弁５９と消毒液容器４１と消毒液配管４２と開閉弁４３から構成されている。【００６９】  この場合、第五実施例が第二実施例や第四実施例と異なる点は、異物分離手段５６としての金網５６や異物分離手段５６Ａしての布袋５６Ａの内側に異物付着手段５７としての小片の布５７を収納しているのに対し、フィルターエレメント５１の内部に異物分離手段５６としての金網５６や異物分離手段５６Ａしての布袋５６Ａを使用せず異物付着手段５７としての小片の布５７だけを収納した点である。  尚、異物付着手段５７としての小片の布５７の内容に関しては第二実施例に記載しているので省略する。  但し、異物付着手段５７としての布５７は、フィルターエレメント５１に早期に粘性の異物が付着し機能が低下するのを防止する目的で配設したものである。【００７０】  ところで、前述以外の内容に関しては、第一実施例や第二実施例と同じ内容の記載となるので省略する。【００７１】  本発明による、医療用フィルターおよびフィルター廃却方法は前述したように構成されており、その動作については、第一実施例や第二実施例と概ね同じ内容となるので省略する。
【図面の簡単な説明】
【００７２】
【図１】  本発明の全体図
【図２】  本発明の医療用フィルターの第一例
【図３】  本発明の医療用フィルターの第二例
【図４】  本発明の医療用フィルターの第三例
【図５】  本発明の医療用フィルターの第四例
【図６】  本発明の医療用フィルターの第五例
【符号の説明】
【００７３】  ２０・・・・・・吸引器具
２０ａ・・・・・レバー
２０ｂ・・・・・吸引口
３０・・・・・・汚物槽
３０ａ・・・・・隔壁
３０ｘ・・・・・汚物
４１・・・・・・消毒液容器
４２・・・・・・消毒液配管
４３・・・・・・開閉弁
４８・・・・・・開閉弁
４９・・・・・・開閉弁
５０Ａ・・・・・フィルター
５０Ｂ・・・・・フィルター
５０Ｃ・・・・・フィルター
５０Ｄ・・・・・フィルター
５０Ｅ・・・・・フィルター
５１・・・・・・フィルターエレメント
５１ａ・・・・・エレメント本体
５１ｂ・・・・・上部鍔
５１ｃ・・・・・下部鍔
５２・・・・・・ボディ
５２ｉ・・・・・段部
５２ｊ・・・・・上部鍔接触面
５２ｋ・・・・・雌ネジ
５２ｘ・・・・・入口
５２ｙ・・・・・出口
５２ｚ・・・・・流路
５３・・・・・・ケース
５３ｘ・・・・・水排出口
５３ｙ・・・・・雄ネジ
５３ｚ・・・・・座
５４・・・・・・Ｏリング
５５・・・・・・パッキン
５６・・・・・・異物分離手段（金網）
５６Ａ・・・・・異物分離手段（布袋）
５６ａ・・・・・金網本体
５６ｂ・・・・・上部フランジ
５６ｃ・・・・・下部フランジ
５６ｍ・・・・・布袋本体
５６ｎ・・・・・バネ金具
５７・・・・・・異物付着手段（布）
５８・・・・・・配水管
５９・・・・・・開閉弁
６０・・・・・・真空タンク
７０・・・・・・真空ポンプ
１０１・・・・・吸引配管
１０２・・・・・吸引配管
１０３・・・・・吸引配管
１０４・・・・・吸引配管
１０５・・・・・吸引配管
１０６・・・・・吸引配管
３０１・・・・・排気
ｘ・・・・・・・異物
ｙ・・・・・・・水滴
ｚ・・・・・・・流体流路
【図１】
2006081869.tif 000003
【図２】
2006081869.tif 000004
【図３】
2006081869.tif 000005
【図４】
2006081869.tif 000006
【図５】
2006081869.tif 000007
【図６】
2006081869.tif 000008